(57)【要約】【課題】読取フィールドの位置の妥当性を検証する帳票処理装置、帳票処理方法、およびプログラムを提供する。【解決手段】  複数の読取フィールドを含む帳票における前記複数の読取フィールドの各々について、位置情報を記憶するフィールド位置記憶部と、帳票画像から前記帳票の辺を検出し、当該辺を基準として前記複数の読取フィールドの各々の位置を前記位置情報に基づき設定するフィールド位置設定部と、前記複数の読取フィールドの各々について、前記フィールド位置記憶部に記憶された位置情報が示す位置の相対位置関係と、前記フィールド位置設定部により設定された位置の相対位置関係を比較するフィールド位置比較部と、を備える、帳票処理装置。【選択図】図３
2014044652.tif 000002
【特許請求の範囲】
【請求項１】
複数の読取フィールドを含む帳票における前記複数の読取フィールドの各々について、位置情報を記憶するフィールド位置記憶部と、
帳票画像から前記帳票の辺を検出し、当該辺を基準として前記複数の読取フィールドの各々の位置を、前記位置情報に基づき設定するフィールド位置設定部と、
前記複数の読取フィールドの各々について、前記フィールド位置記憶部に記憶された位置情報が示す位置の相対位置関係と、前記フィールド位置設定部により設定された位置の相対位置関係を比較するフィールド位置比較部と、
を備える、帳票処理装置。
【請求項２】
前記位置情報は、各読取フィールドの第１方向上の第１座標値、および第２方向上の第２座標値を含み、
前記フィールド位置設定部は、帳票画像から前記帳票の第１方向に沿った辺を検出し、前記辺から前記第２座標値に基づいた距離を有する平行線と前記帳票の交点から、前記平行線上で前記第１座標値に基づいた距離を有する位置を特定することにより、前記帳票画像において、前記複数の読取フィールドの各々の位置を設定する、請求項１に記載の帳票処理装置。
【請求項３】
前記フィールド位置比較部は、前記フィールド位置記憶部に記憶された位置情報が示す位置の相対位置関係と、前記フィールド位置設定部により設定された位置の相対位置関係とを比較し、位置設定が妥当ではないと判断された読取フィールドについて、
当該読取フィールドの読取結果として、所定のデータを出力する文字認識部をさらに含む、請求項１または２に記載の帳票処理装置。
【請求項４】
前記フィールド位置比較部は、前記フィールド位置記憶部に記憶された位置情報が示す位置の相対位置関係と、前記フィールド位置設定部により設定された位置の相対位置関係とを比較し、位置設定が妥当ではないと判断された読取フィールドについて、
前記フィールド位置設定部により設定された当該読取フィールドの位置を、位置設定が妥当であると判断された読取フィールドを基準として補正するフィールド位置補正部をさらに備える、請求項１または２に記載の帳票処理装置。
【請求項５】
前記フィールド位置補正部は、前記位置設定が妥当ではないと判断された読取フィールドの位置補正を、当該位置設定が妥当ではないと判断された読取フィールドに最も近い、前記位置設定が妥当であると判断された読取フィールドを基準として行う、請求項４に記載の帳票処理装置。
【請求項６】
前記複数の読取フィールドの各々は、前記帳票に形成され、各読取フィールドに対応する記載欄よりも所定の許容値だけ広い、請求項１〜５のいずれか一項に記載の帳票処理装置。
【請求項７】
前記フィールド位置比較部は、前記許容値に基づいた閾値を用いて、前記フィールド位置記憶部に記憶された位置情報が示す位置の相対位置関係と、前記フィールド位置設定部により設定された位置の相対位置関係とを比較し、妥当性を判断する、請求項６に記載の帳票処理装置。
【請求項８】
前記フィールド位置比較部は、読取フィールド間ごとに異なる閾値を用いて、前記フィールド位置記憶部に記憶された位置情報が示す位置の相対位置関係と、前記フィールド位置設定部により設定された位置の相対位置関係とを比較し、妥当性を判断する、請求項１〜７のいずれか一項に記載の帳票処理装置。
【請求項９】
前記複数の読取フィールドの各々について、前記フィールド位置記憶部に記憶された前記位置情報に含まれる座標は、前記帳票の角を原点として表現され、前記フィールド位置設定部により設定された位置の座標は、前記帳票画像の角を原点として表現される、請求項１〜８のいずれか一項に記載の帳票処理装置。
【請求項１０】
複数の読取フィールドを含む帳票における前記複数の読取フィールドの各々について、位置情報を記憶するステップと、
帳票画像から前記帳票の辺を検出し、当該辺を基準として前記複数の読取フィールドの各々の位置を前記位置情報に基づき設定するステップと、
前記複数の読取フィールドの各々について、記憶された前記位置情報が示す位置の相対位置関係と、前記帳票画像において設定された位置の相対位置関係を比較するステップと、
を含む、帳票処理方法。
【請求項１１】
コンピュータを、
複数の読取フィールドを含む帳票における前記複数の読取フィールドの各々について、位置情報を記憶するフィールド位置記憶部と、
帳票画像から前記帳票の辺を検出し、当該辺を基準として前記複数の読取フィールドの各々の位置を前記位置情報に基づき設定するフィールド位置設定部と、
前記複数の読取フィールドの各々について、前記フィールド位置記憶部に記憶された位置情報が示す位置の相対位置関係と、前記フィールド位置設定部により設定された位置の相対位置関係を比較するフィールド位置比較部と、
として機能させるためのプログラム。
【発明の詳細な説明】
【技術分野】
【０００１】
本発明は、帳票処理装置、帳票処理方法、およびプログラムに関する。
【背景技術】
【０００２】
近年、帳票上の手書きの文字、または印字された文字を光学的に読み取り、光学文字認識（ＯＣＲ：Ｏｐｔｉｃａｌ  Ｃｈａｒａｃｔｏｒ  Ｒｅｃｏｎｇｎｉｔｉｏｎ）技術を用いて文字データを取得することが可能な帳票処理装置が普及している。
【０００３】
特に、あらかじめ記載欄が規定されている定型の帳票を扱う帳票処理装置においては、当該記載欄に記載された文字データを選択的に取得するために、読み取り対象となる読取フィールドの位置を事前にデータベースに登録することが行われている。
【０００４】
従来、上記のような帳票処理装置として、特許文献１には、データベースに登録された読取フィールドの位置情報から、帳票の角を基準として帳票画像に読取フィールドの位置を特定し、帳票の外形の歪みを補正して文字を認識する帳票処理装置が開示されている。また、特許文献２には、帳票画像上で読取フィールド位置を特定する順番を定め、直前に特定した読取フィールド位置との相対位置関係を用いて、順次読取フィールドの位置を特定し、文字が位置ずれしていても認識可能な帳票処理装置が開示されている。
【先行技術文献】
【特許文献】
【０００５】
【特許文献１】特開２００７−７９９６６号公報
【特許文献２】特開２０１０−２３１５４１号公報
【発明の概要】
【発明が解決しようとする課題】
【０００６】
上記の特許文献１および２に開示されている技術によれば、帳票画像の歪み、および文字の位置ずれによる読み取りミスを回避することが可能である。しかし、帳票が折れたり、画像にノイズが乗ったりして、帳票画像上の読取フィールドの位置が局所的に大きくずれた場合には、特許文献１および２に開示されている技術では当該読取フィールドの位置の妥当性を検証できないという問題があった。
【０００７】
そこで、本発明は、上記問題に鑑みてなされたものであり、本発明の目的とするところは、帳票画像上の読取フィールドの位置が局所的に大きくずれた場合においても当該読取フィールドの位置の妥当性を検証することが可能な、新規かつ改良された帳票処理装置、帳票処理方法、およびプログラムを提供することにある。
【課題を解決するための手段】
【０００８】
上記課題を解決するために、本発明のある観点によれば、複数の読取フィールドを含む帳票における前記複数の読取フィールドの各々について、位置情報を記憶するフィールド位置記憶部と、帳票画像から前記帳票の辺を検出し、当該辺を基準として前記複数の読取フィールドの各々の位置を前記位置情報に基づき設定するフィールド位置設定部と、前記複数の読取フィールドの各々について、前記フィールド位置記憶部に記憶された位置情報が示す位置の相対位置関係と、前記フィールド位置設定部により設定された位置の相対位置関係を比較するフィールド位置比較部と、を備える、帳票処理装置が提供される。
【０００９】
前記位置情報は、各読取フィールドの第１方向上の第１座標値、および第２方向上の第２座標値を含み、前記フィールド位置設定部は、帳票画像から前記帳票の第１方向に沿った辺を検出し、前記辺から前記第２座標値に基づいた距離を有する平行線と前記帳票の交点から、前記平行線上で前記第１座標値に基づいた距離を有する位置を特定することにより、前記帳票画像において、前記複数の読取フィールドの各々の位置を設定してもよい。
【００１０】
前記フィールド位置比較部は、前記フィールド位置記憶部に記憶された位置情報が示す位置の相対位置関係と、前記フィールド位置設定部により設定された位置の相対位置関係とを比較し、位置設定が妥当ではないと判断された読取フィールドについて、当該読取フィールドの読取結果として、所定のデータを出力する文字認識部をさらに含んでもよい。
【００１１】
前記フィールド位置比較部は、前記フィールド位置記憶部に記憶された位置情報が示す位置の相対位置関係と、前記フィールド位置設定部により設定された位置の相対位置関係とを比較し、位置設定が妥当ではないと判断された読取フィールドについて、前記フィールド位置設定部により設定された当該読取フィールドの位置を、位置設定が妥当であると判断された読取フィールドを基準として補正するフィールド位置補正部をさらに備えてもよい。
【００１２】
前記フィールド位置補正部は、前記位置設定が妥当ではないと判断された読取フィールドの位置補正を、当該位置設定が妥当ではないと判断された読取フィールドに最も近い、前記位置設定が妥当であると判断された読取フィールドを基準として行ってもよい。
【００１３】
前記複数の読取フィールドの各々は、前記帳票に形成され、各読取フィールドに対応する記載欄よりも所定の許容値だけ広くてもよい。
【００１４】
前記フィールド位置比較部は、前記許容値に基づいた閾値を用いて、前記フィールド位置記憶部に記憶された位置情報が示す位置の相対位置関係と、前記フィールド位置設定部により設定された位置の相対位置関係とを比較し、妥当性を判断してもよい。
【００１５】
前記フィールド位置比較部は、読取フィールド間ごとに異なる閾値を用いて、前記フィールド位置記憶部に記憶された位置情報が示す位置の相対位置関係と、前記フィールド位置設定部により設定された位置の相対位置関係とを比較し、妥当性を判断してもよい。
【００１６】
前記複数の読取フィールドの各々について、前記フィールド位置記憶部に記憶された前記位置情報に含まれる座標は、前記帳票の角を原点として表現され、前記フィールド位置設定部により設定された位置の座標は、前記帳票画像の角を原点として表現されてもよい。
【００１７】
また、上記課題を解決するために、本発明の別の観点によれば、複数の読取フィールドを含む帳票における前記複数の読取フィールドの各々について、位置情報を記憶するステップと、帳票画像から前記帳票の辺を検出し、当該辺を基準として前記複数の読取フィールドの各々の位置を前記位置情報に基づき設定するステップと、前記複数の読取フィールドの各々について、記憶された前記位置情報が示す位置の相対位置関係と、前記帳票画像において設定された位置の相対位置関係を比較するステップと、を含む、帳票処理方法が提供される。
【００１８】
また、上記課題を解決するために、本発明のさらに別の観点によれば、コンピュータを、複数の読取フィールドを含む帳票における前記複数の読取フィールドの各々について、位置情報を記憶するフィールド位置記憶部と、帳票画像から前記帳票の辺を検出し、当該辺を基準として前記複数の読取フィールドの各々の位置を前記位置情報に基づき設定するフィールド位置設定部と、前記複数の読取フィールドの各々について、前記フィールド位置記憶部に記憶された位置情報が示す位置の相対位置関係と、前記フィールド位置設定部により設定された位置の相対位置関係を比較するフィールド位置比較部と、として機能させるためのプログラムが提供される。
【発明の効果】
【００１９】
以上、説明したように本発明によれば、帳票画像上の読取フィールドの位置が局所的に大きくずれた場合においても、当該読取フィールドの位置の妥当性を検証することが可能である。
【図面の簡単な説明】
【００２０】
【図１】本発明に係る帳票処理システムの構成を示した説明図である。
【図２Ａ】正常に画像取得できた帳票画像の具体例を示す説明図である。
【図２Ｂ】帳票の一部が欠けた帳票画像の具体例を示す説明図である。
【図２Ｃ】背景にノイズが乗った帳票画像の具体例を示す説明図である。
【図２Ｄ】帳票の左右端が波打った帳票画像の具体例を示す説明図である。
【図３】本発明の第１の実施形態に係る読取装置および帳票処理装置の内部構成を示すブロック図である。
【図４】読取フィールドの位置情報の具体例を示す説明図である。
【図５】フィールド位置記憶部が記憶するフィールド位置データテーブルの具体例を示す説明図である。
【図６】第１の実施形態に係る帳票処理装置の動作を示したフローチャートである。
【図７Ａ】読取フィールドの位置設定における帳票上端の辺検出までの手順の具体例を示した説明図である。
【図７Ｂ】読取フィールドの位置設定におけるＹ座標決定までの手順の具体例を示した説明図である。
【図７Ｃ】読取フィールドの位置設定における完了までの手順の具体例を示した説明図である。
【図８Ａ】フィールド位置記憶部に記憶された読取フィールドの位置の具体例を示した説明図である。
【図８Ｂ】フィールド位置設定部によって設定された読取フィールドの位置の具体例を示した説明図である。
【図８Ｃ】フィールド位置比較部により、記憶された読取フィールドの位置と設定された読取フィールドの位置とを比較した具体例を示した説明図である。
【図９】第２の実施形態に係る読取装置および帳票処理装置の内部構成を示したブロック図である。
【図１０】第２の実施形態に係る帳票処理装置の動作を示したフローチャートである。
【図１１】図８Ｃに示した帳票画像にフィールド位置補正部が補正を行った具体例を示した説明図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
また、本明細書および図面において、実質的に同一の機能、構成を有する複数の構成要素を、同一の符号の後に異なるアルファベットを付して区別する場合もある。ただし、実質的に同一の機能、構成を有する複数の構成要素の各々を特に区別する必要がない場合、同一符号のみを付する。
【００２３】
なお、本明細書および図面において、上下左右とは、帳票または帳票画像に正対する者から見た上下左右を表す。
【００２４】
＜１．帳票処理システムの基本構成＞
本発明は、一例として＜３．第１の実施形態＞以降で詳細に説明するように、多様な形態で実施され得る。また、本発明の実施形態に係る帳票処理装置１は、
Ａ：複数の読取フィールドを含む帳票における前記複数の読取フィールドの各々について、位置情報を記憶するフィールド位置記憶部と、
Ｂ：帳票画像から前記帳票の辺を検出し、当該辺を基準として前記複数の読取フィールドの各々の位置を前記位置情報に基づき設定するフィールド位置設定部と、
Ｃ：前記複数の読取フィールドの各々について、前記フィールド位置記憶部に記憶された位置情報が示す位置の相対位置関係と、前記フィールド位置設定部により設定された位置の相対位置関係とを比較するフィールド位置比較部と、
を備える。
【００２５】
以下では、まず、このような帳票処理装置１を含む帳票処理システムの基本構成について図１を参照して説明する。
【００２６】
図１は、本発明に係る帳票処理システムの構成を示した説明図である。図１に示すように、本発明に係る帳票処理システムは、帳票処理装置１と、読取装置２と、を備える。
【００２７】
読取装置２は、紙媒体の帳票原本から帳票画像を取得する。具体的には、読取装置２は非接触型スキャナまたはロットスキャナなどのスキャナ装置であって、光学式に帳票原本を読み取り、帳票画像を取得する。なお、読取装置２は、帳票処理装置１に対応した専用のハードウェア、または専用のソフトウェアを備えたスキャナ装置であってもよいし、市販されている汎用のスキャナ装置であってもよい。
【００２８】
帳票処理装置１は、複数の記載欄が形成された帳票を含む帳票画像より、当該帳票の記載欄に記入された文字を認識する。具体的には、帳票処理装置１は、読取装置２によって取得された帳票画像に、事前にデータベースに登録した文字認識を行う領域である読取フィールドの位置を設定し、当該読取フィールド内の文字を認識し、当該文字を文字データとして取得する。帳票処理装置１は、本発明に係る専用のハードウェアを備えた情報処理装置であってもよいし、本発明の各構成と同等の機能を発揮させるプログラムを適用したコンピュータ等の汎用の情報処理装置であってもよい。
【００２９】
ここで、本発明は、帳票処理装置１と読取装置２が分離して備えられた構成であるとして説明したが、本発明は係る構成に限定されない。例えば、本発明は帳票処理装置１と読取装置２が一体化された構成であってもよい。
【００３０】
＜２．従来技術において問題となる帳票画像の具体例＞
以上、本発明に係る帳票処理システムの基本構成について説明した。続いて、本発明に係る帳票処理装置１が特に好適に用いられる、読取フィールドの位置が局所的に大きくずれた帳票画像について、図２Ａ〜図２Ｄを参照して具体例を示しながら説明する。
【００３１】
図２Ａは、正常に画像取得された帳票画像３００ａの具体例を示す説明図である。図２Ａに示すように、帳票画像３００ａは、背景３０１と帳票３０２で構成される。背景３０１と帳票３０２とは、明度コントラストがつくように一方が白く、他方が黒くなるように画像取得される。係る構成により、後述するフィールド位置設定部１１０は、帳票３０２の端（あるいは辺）をエッジ検出により容易に検出することができる。なお、図２Ａでは、帳票画像３００ａは、背景３０１が黒く帳票３０２が白くなるよう画像取得されているが、逆に背景３０１が白く帳票３０２が黒くなるように画像が取得されてもよい。係る場合、帳票３０２上の文字は白くなるよう画像が取得される。
【００３２】
また、図２Ａに示すように、正常に画像取得ができた帳票画像３００ａは、帳票処理装置１によって帳票３０２の上端と左端からの距離に基づき、文字認識を行うための読取フィールドの位置が設定される。すなわち、上辺および左辺を基準辺とし、左右方向をＸ軸方向、上下方向をＹ軸方向として、フィールド位置記憶部１１６に記憶された各読取フィールドのＸ、Ｙ方向の位置情報を基準辺からの距離に当てはめて、帳票画像３００ａ上に読取フィールドが設定される。したがって、帳票画像３００ａは、帳票３０２の上端および左端のいずれにも異常がないため、読取フィールドＡ（３０４ａ）、読取フィールドＢ（３０６ａ）および読取フィールドＣ（３０８ａ）は、それぞれに対応する記載欄を含むように位置が設定されている。
【００３３】
図２Ｂは、画像取得時に帳票原本が折れたため、帳票の一部が欠けた帳票画像３００ｂの具体例を示す説明図である。図２Ｂに示すように、帳票処理装置１は、帳票画像３００ｂにおいて帳票の上端と左端からの距離によって読取フィールドの位置を設定する。したがって、帳票画像３００ｂのように帳票の左下一部が欠けている場合は、上端からの距離には、ずれがないものの、左端の位置は正常に読み取られた場合と比べ右方向にずれることになるので、読取フィールドＣ（３０８ｂ）の位置は、対応する記載欄に対して帳票が欠けた分だけずれて設定されている。一方、読取フィールドＡ（３０４ｂ）および読取フィールドＢ（３０６ｂ）は、上端および帳票が欠けていない部分の左端から距離を測って位置を設定しているので、読取フィールドＡ（３０４ｂ）および読取フィールドＢ（３０６ｂ）は、それぞれに対応する記載欄を含むように位置が設定されている。
【００３４】
図２Ｃは、画像取得時に読取装置２に紙粉が入るなどして背景にノイズが乗った帳票画像３００ｃの具体例を示す説明図である。なお、図２Ｃにおいて、ノイズは便宜上黒い実線で示してあるが、実際には帳票３０２の色と同様な色（白色等）の画素である。図２Ｃに示すように、帳票処理装置１は、帳票画像３００ｃにおいて帳票の上端と左端からの距離によって読取フィールドの位置を設定するが、ノイズが背景に含まれる場合、ノイズを帳票端と誤検出する。そのため、帳票画像３００ｃのように背景にノイズが入っている場合は、ノイズを左端と誤検出したため、読取フィールドＢ（３０６ｃ）および読取フィールドＣ（３０８ｃ）の位置は、対応する記載欄に対してずれて設定されている。一方、読取フィールドＡ（３０４ｃ）はノイズが入っていない位置の左端から距離を測って位置を設定したため、対応する記載欄を含むように位置が設定されている。
【００３５】
図２Ｄは、帳票の左右端が蛇行して取得された帳票画像３００ｄの具体例を示す説明図である。スキャナの読み取り方式によっては、帳票画像の左右端は蛇行することがある。図２Ｄに示すように、帳票処理装置１は、帳票画像３００ｄにおいて帳票の上端と左端からの距離によって読取フィールドの位置を設定しているので、帳票の左端が蛇行していると左端の位置が正常に画像を取得できた場合に対してずれる。そのため、帳票の左端が、正常に画像が取得された場合よりもずれることにより、読取フィールドＡ（３０４ｄ）、読取フィールドＢ（３０６ｄ）および読取フィールドＣ（３０８ｄ）の位置も対応する記載欄に対してずれて設定される。
【００３６】
上記のように、帳票の基準辺となる左端に異常が生じた部分があると、帳票画像３００上に設定される各読取フィールドの相対位置は、異常が生じた部分と高さ方向の位置が重なる読取フィールドについて、本来とはずれた状態となる。
【００３７】
以上、図２Ｂ〜図２Ｄにおいて具体例を挙げて説明した帳票画像は、帳票端を正常に画像が取得された場合に対して適正に検出できないため、帳票の上端および左端からの距離で設定された読取フィールドの位置は対応する記載欄に対して局所的にずれてしまい、従来技術では帳票処理装置において文字の誤不読や欠落が発生してしまっていた。しかし、以下で具体的に説明する本発明に係る実施形態においては、上記のような帳票画像であっても読取フィールド位置の妥当性を検証することが可能である。
【００３８】
＜３．第１の実施形態＞
まず、図３を参照して、本発明の第１の実施形態に係る読取装置２および帳票処理装置１ａの内部構成について具体的に説明する。図３は、本発明の第１の実施形態に係る読取装置２および帳票処理装置１ａの内部構成を示すブロック図である。
【００３９】
［３−１．読取装置２の内部構成］
まず、図３を参照して、第１の実施形態に係る読取装置２の内部構成について具体的に説明する。図３に示すように、第１の実施形態に係る読取装置２は、スキャナ部２００と、読取制御部２０２と、通信部２０４と、を備える。
【００４０】
スキャナ部２００は、帳票原本より帳票画像を取得する。具体的には、スキャナ部２００は、光源、光学系および撮像素子を備える。スキャナ部２００は、光源からの光を帳票原本に当てて反射光または透過光を得、当該反射光または透過光を光学系にて撮像素子に導き、電気信号に変換して帳票画像を取得する。なお、本発明に係るスキャナ部２００は、撮像素子やスキャン方法によって限定されず、帳票原本より帳票画像を取得することができれば、いかなる構成であってもよい。
【００４１】
読取制御部２０２は、帳票原本より帳票画像を取得し当該帳票画像を帳票処理装置１ａに送信するために、スキャナ部２００および通信部２０４を制御する。具体的には、読取制御部２０２は、スキャナ部２００を制御し帳票原本をスキャンし、帳票画像を取得させ、通信部２０４を制御して当該帳票画像のデータを帳票処理装置１ａへ送信させる。また、読取制御部２０２は、取得した帳票画像に対して、歪み補正や濃度補正などの様々な画像処理を行ってもよい。
【００４２】
通信部２０４は、スキャナ部２００が取得した帳票画像を帳票処理装置１ａに送信し、また帳票処理装置１ａからの指示を受信する。具体的には、通信部２０４は、直接的あるいはネットワークを介して帳票処理装置１ａと通信を行う。通信部２０４の通信手段は有線通信であってもよいし、無線通信であってもよい。例えば、通信部２０４の通信手段は、ＵＳＢ（Ｕｎｉｖｅｒｓａｌ  Ｓｅｒｉａｌ  Ｂｕｓ）であってもよいし、ＬＡＮ（Ｌｏｃａｌ  Ａｒｅａ  Ｎｅｔｗｏｒｋ）であってもよく、インターネットおよび電話回線網を介したものであってもよい。また、通信部２０４は、無線ＵＳＢ、無線ＬＡＮ、ＩＥＥＥ８０２．１５．１などを通信手段として使用してもよく、通信部２０４は、通信手段によって限定されない。
【００４３】
［３−２．帳票処理装置１ａの内部構成］
引き続き、図３を参照して第１の実施形態に係る帳票処理装置１ａの内部構成について具体的に説明する。また、フィールド位置記憶部１１６については、図４および図５を参照して、フィールド位置設定部１１０については、図７Ａ〜７Ｃを参照して、フィールド位置設定部１１０については、図８Ａ〜８Ｃを参照して具体的に後述する。
【００４４】
図３に示すように、第１の実施形態に係る帳票処理装置１ａは、通信部１００と、制御部１０２ａと、画像メモリ部１０４と、入力部１０６と、表示部１０８と、フィールド位置設定部１１０と、フィールド位置比較部１１２と、文字認識部１１４とフィールド位置記憶部１１６と、を備える。
【００４５】
通信部１００は、読取装置２が取得した帳票画像を受信し、また読取装置２への指示を送信する。具体的には、通信部１００は読取装置２の通信部２０４と実質的に同等の構成を有し、直接的あるいはネットワークを介して読取装置２と通信を行う。通信部１００の通信手段は、読取装置２の通信部２０４と通信ができるものであれば、通信部２０４で説明したようにいかなるものであってもよい。
【００４６】
制御部１０２ａは、ＣＰＵ（Ｃｅｎｔｒａｌ  Ｐｒｏｃｅｓｓｉｎｇ  Ｕｎｉｔ）や各種処理回路が集積された集積回路などで構成され、帳票処理装置１ａ全体を制御する。具体的には、制御部１０２ａは、読取装置２から通信部１００が受信した帳票画像に、フィールド位置設定部１１０により読取フィールドの位置を設定し、フィールド位置比較部１１２により当該読取フィールドの位置の妥当性を検証した後、文字認識部１１４により文字認識を行うよう帳票処理装置１ａの各部を制御する。ここで、フィールド位置設定部１１０による読取フィールド位置の設定、およびフィールド位置比較部１１２による当該読取フィールド位置の妥当性の検証については、図７Ａ〜図７Ｃおよび図８Ａ〜図８Ｃを参照して後述する。
【００４７】
画像メモリ部１０４は、読取装置２より通信部１００が受信した帳票画像を格納する。例えば、画像メモリ部１０４は、ＤＲＡＭ（Ｄｙｎａｍｉｃ  Ｒａｎｄｏｍ  Ａｃｃｅｓｓ  Ｍｅｍｏｒｙ）のような揮発性メモリであってもよいし、フラッシュメモリ（ｆｌａｓｈ  ｍｅｍｏｒｙ）、ＭＲＡＭ（Ｍａｇｎｅｔｏｒｅｓｉｓｔｉｖｅ  Ｒａｎｄｏｍ  Ａｃｃｅｓｓ  Ｍｅｍｏｒｙ）、ＦｅＲＡＭ（Ｆｅｒｒｏｅｌｅｃｔｒｉｃ  Ｒａｎｄｏｍ  Ａｃｃｅｓｓ  Ｍｅｍｏｒｙ）、ＰＲＡＭ（Ｐｈａｓｅ  ｃｈａｎｇｅ  Ｒａｎｄｏｍ  Ａｃｃｅｓｓ  Ｍｅｍｏｒｙ）などの不揮発性メモリや、ＨＤＤ（Ｈａｒｄ  Ｄｉｓｋ  Ｄｒｉｖｅ）装置のような磁気記録媒体であってもよく、上記の構成に限定されるものではない。
【００４８】
入力部１０６は、オペレータから帳票処理装置１ａへの操作を可能にする。例えば、入力部１０６は、キーボード装置、マウス装置、ボタン装置、タッチパネル装置およびマイクロフォン装置などで構成されるが、上記に限らない。入力部１０６は、オペレータの操作を帳票処理装置１ａへ伝達できれば、どのような構成であってもよい。
【００４９】
表示部１０８は、画像メモリ部１０４に格納された帳票画像、フィールド位置設定部１１０により当該帳票画像に設定された読取フィールド、および文字認識部１１４により文字認識された当該帳票画像上の文字などを表示する。例えば、表示部１０８は、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置などであってもよいが、上記に限定されるものではない。
【００５０】
フィールド位置記憶部１１６は、帳票における読取フィールドの配置を記憶する。フィールド位置記憶部１１６は、ＨＤＤ（Ｈａｒｄ  Ｄｉｓｋ  Ｄｒｉｖｅ）装置、ＳＳＤ（Ｓｏｌｉｄ  Ｓｔａｔｅ  Ｄｒｉｖｅ）装置などの多様な記録媒体であってもよい。フィールド位置記憶部１１６が記憶する、読取フィールドの位置情報を含むフィールド位置データテーブル１１８の構成については、図４および図５を参照して後述する。
【００５１】
フィールド位置設定部１１０は、帳票画像に読取フィールドの位置を設定する。具体的には、フィールド位置設定部１１０は、画像メモリ部１０４が格納する帳票画像にフィールド位置記憶部１１６が記憶する読取フィールドの位置情報を適用し、帳票画像上に読取フィールド位置を設定する。より詳細な読取フィールド位置の設定手順については、図７Ａ〜図７Ｃを参照して後述する。
【００５２】
フィールド位置比較部１１２は、フィールド位置設定部１１０が設定した帳票画像上の読取フィールドの相対位置関係と、フィールド位置記憶部１１６が記憶する読取フィールドの相対位置関係とを比較する。具体的には、フィールド位置比較部１１２は、帳票画像上にフィールド位置設定部１１０により設定された読取フィールドの相対位置関係を算出し、フィールド位置記憶部１１６に記憶された読取フィールドの位置情報より算出した相対位置関係と比較する。フィールド位置比較部１１２は、読取フィールドについて相対位置関係の比較を行い、所定数以上の読取フィールドと相対位置関係が一致する読取フィールドを適切に位置が設定されたとして、適正読取フィールドとする。さらに、フィールド位置比較部１１２は、当該適正読取フィールド、および当該適正読取フィールドとの記憶された相対位置関係と設定された相対位置関係が一致する読取フィールドについては、読取フィールドの位置設定が妥当であると判断する。また、当該適正読取フィールドとの記憶された相対位置関係と設定された相対位置関係が一致しない読取フィールドについては文字認識部１１４に当該読取フィールドの位置設定が妥当ではない旨を伝達する。また、詳細なフィールド位置の比較手順については図８Ａ〜図８Ｃを参照して後述する。
【００５３】
なお、上記において所定数以上の読取フィールドと相対位置関係が一致する読取フィールドのうち、いずれを適正読取フィールドとしてもよい。また、最も多くの読取フィールドと相対位置関係が一致した読取フィールドを適正読取フィールドとしてもよい。
【００５４】
文字認識部１１４は、各読取フィールドにおいて、文字認識を行う。具体的には、文字認識部１１４は、フィールド位置設定部１１０が設定した読取フィールドにおいて、帳票上の文字を認識して、文字データとして取得し、当該認識した文字を表示部１０８に出力する。また、フィールド位置比較部１１２より、位置設定が妥当ではない旨を伝達された読取フィールドについては、文字認識部１１４は、文字認識を行わず、オペレータに当該読取フィールドの位置設定の妥当性に問題がある旨を通知するためリジェクト文字を表示部１０８に出力する。
【００５５】
また、文字認識部１１４が実際に文字認識を行う範囲は、読取フィールドと等しくなくともよく、読取フィールド内の一部分であってもよい。
【００５６】
ここで、リジェクト文字とは、オペレータに文字読み取りができない旨を通知することを目的とする所定のデータの一例である。リジェクト文字はどのような文字であるかに限定されず、例えば「？」や「！」などの記号文字であってもよい。
【００５７】
［３−３．読取フィールドの位置情報］
以上、図３を参照して、第１の実施形態に係る読取装置２および帳票処理装置１ａの内部構成について具体的に説明した。以下では、フィールド位置記憶部１１６が記憶する読取フィールドの位置情報を含むフィールド位置データテーブル１１８について、図４および図５を参照して具体的に説明する。図４は、読取フィールドの位置情報の具体例を示す説明図である。また、図５は、フィールド位置記憶部１１６が記憶するフィールド位置データテーブル１１８の具体例を示す説明図である。
【００５８】
図４に示すように、帳票３１０上の読取フィールドＡ（３１２）、読取フィールドＢ（３１４）および読取フィールドＣ（３１６）の位置は、各読取フィールドの頂点を直行座標系にて表現されている。具体的には、帳票上の読取フィールドＡ（３１２）、読取フィールドＢ（３１４）および読取フィールドＣ（３１６）の位置は、帳票の左上の角を（０，０）の原点、左から右へ向かう方向を正方向とする上下端の辺に沿ったＸ軸、前述したＸ軸に直交する上から下へ向かう方向を正方向とするＹ軸で定義された直交座標系で表現されている。例えば、読取フィールドＡ（３１２）の左上の角の座標は（３０，３０）であり、右上の角の座標は（１１０，３０）であり、左下の角の座標は（３０，６０）であり、右下の角の座標は（１１０，６０）であり、読取フィールドＡ（３１２）は上記４点を頂点とする四角形状である。また、読取フィールドＢ（３１４）は、（３０，７０）、（３０，１００）、（１８０，７０）および（１８０，１００）の４点を頂点とする四角形状であり、読取フィールドＣ（３１６）は、（１５０，１２０）、（１５０，１５０）、（２５０、１２０）および（２５０，１５０）の４点を頂点とする四角形状である。
【００５９】
ここで、各読取フィールドは、帳票上に形成され当該読取フィールドに対応する記載欄よりも所定の許容値だけ大きく定められている。例えば、図４では、読取フィールドＡ（３１２）は、記載欄Ａ（３１８）よりも大きく定められている。また、読取フィールドＡ（３１２）と記載欄Ａ（３１８）との大きさの差が所定の許容値に該当する。これにより、記載欄に記入された手書き文字や印字された活字がずれていた場合でも、当該許容値の範囲内のずれであれば、読み取るべき文字が読取フィールド内に含まれるので、文字認識部１１４は問題なく文字認識を行うことができる。
【００６０】
また、対応する記載欄に対する読取フィールドが持つ許容値の大きさは、各読取フィールドで同じであってもよいし、異なってもよい。例えば、帳票上に活字が印字される場合は、印刷ずれのため帳票上に形成された記載欄に対して活字がずれやすいので、対応する読取フィールドの許容値は他の読取フィールドの許容値より大きくてもよい。また、手書き文字は、記入者により帳票上に形成された記載欄の枠内に収まるように書かれることが多いため、対応する読取フィールドの許容値は他の読取フィールドの許容値より小さくてもよい。
【００６１】
なお、本実施形態において、読取フィールドの位置を、帳票の左上角を原点、左から右へ向かう方向を正方向とする上下端の辺に沿ったＸ軸、前述したＸ軸に直交する上から下へ向かう方向を正方向とするＹ軸で定義された座標系で表現したが、本発明は係る例に限定されない。原点、Ｘ軸およびＹ軸は、適宜、帳票の形状や読取フィールドの位置に対して最適となるように自由に選択される。また、直交座標系に限定されず、斜交座標系や極座標系が用いられてもよい。
【００６２】
以上において、フィールド位置記憶部１１６が記憶する読取フィールドの位置情報について具体的に説明した。引き続き、フィールド位置記憶部１１６に記憶されたフィールド位置データテーブル１１８について図５を参照して具体的に説明する。
【００６３】
図５で示すように、フィールド位置記憶部１１６に記憶されたフィールド位置データテーブル１１８は、読取フィールドのそれぞれについて、読取フィールド位置の基準点となる左上の頂点座標、読取フィールドのＸ方向大きさ、およびＹ方向大きさの情報を含む。具体的には、読取フィールドＡの左上の頂点座標は（３０，３０）であり、読取フィールドの大きさはＸ方向に「８０」、Ｙ方向に「３０」である。また、読取フィールドＢの左上の頂点座標は（３０，７０）であり、読取フィールドの大きさはＸ方向に「１５０」、Ｙ方向に「３０」であり、読取フィールドＣの左上の頂点座標は（１５０，１２０）であり、読取フィールドの大きさはＸ方向に「１００」、Ｙ方向に「３０」である。
【００６４】
上記実施形態では、フィールド位置データテーブル１１８に含まれる位置情報において、読取フィールドの位置を定義する基準点を左上の頂点としたが、本発明は係る例に限定されない。読取フィールドの位置を定義する基準点は、読取フィールドの頂点のいずれであってもよいし、また、読取フィールドの重心であってもよい。
【００６５】
さらに、上記実施形態では、フィールド位置データテーブル１１８に含まれる位置情報は、読取フィールドの位置を定義する基準点および読取フィールドの大きさであったが、本発明は係る例に限定されない。フィールド位置データテーブル１１８に含まれる位置情報は、各読取フィールドのすべての頂点の座標であってもよい。
【００６６】
［３−４．帳票処理装置１ａの動作］
以上、図３〜５を参照して第１の実施形態に係る読取装置２および帳票処理装置１ａの構成要素について、装置およびデータの両方について具体的に説明した。以下では、図６〜図８Ｃを参照して、第１の実施形態に係る帳票処理装置１ａの動作について詳細に説明する。
【００６７】
まず、図６を参照して第１の実施形態に係る帳票処理装置１ａの動作を具体的に説明する。図６は、第１の実施形態に係る帳票処理装置１ａの動作を示したフローチャートである。
【００６８】
図６に示すように、まず、制御部１０２ａは、通信部１００を介して読取装置２より帳票画像を取得し（Ｓ１００）、画像メモリ部１０４に格納する。フィールド位置設定部１１０は、画像メモリ部１０４から当該帳票画像を読み出し、またフィールド位置記憶部１１６より読取フィールドの位置情報を読み出す（Ｓ１０２）。さらに、フィールド位置設定部１１０は、帳票画像に読取フィールドの各々を設定する（Ｓ１０４）。
【００６９】
次に、フィールド位置比較部１１２は、各読取フィールドについて、帳票画像にフィールド位置設定部１１０により設定された読取フィールドの相対位置関係と、フィールド位置記憶部１１６に記憶された読取フィールドの相対位置関係とを比較し、相対位置関係が一致しているかどうかを判断する（Ｓ１０４）。なお、Ｓ１０４の処理は、フィールド位置比較部１１２によって、すべての読取フィールドについて順次行われる。また、フィールド位置比較部１１２は、すべての読取フィールドについて相対位置関係の比較を行ってもよいし、一部の読取フィールドについて相対位置関係の比較を行ってもよい。
【００７０】
次に、フィールド位置比較部１１２は、所定数以上の読取フィールドと相対位置関係が一致する読取フィールドを適正読取フィールドとする（Ｓ１０５）。さらに、各読取フィールドについて、適正読取フィールドとの記憶された相対位置関係と設定された相対位置関係が一致しているか否かを判断する（Ｓ１０６）。適正読取フィールドとの記憶された相対位置関係と設定された相対位置関係が一致しているとフィールド位置比較部１１２に判断された場合（Ｓ１０６／Ｙｅｓ）、当該読取フィールドの位置設定は妥当であるとして、文字認識部１１４は、当該読取フィールドの文字認識を行い（Ｓ１１０）、文字認識した文字を表示部１０８に出力する（Ｓ１１２）。一方、適正読取フィールドとの記憶された相対位置関係と設定された相対位置関係が一致しないとフィールド位置比較部１１２に判断された場合（Ｓ１０６／Ｎｏ）、当該読取フィールドの位置設定は妥当ではないとして、文字認識部１１４はリジェクト文字を表示部１０８に出力する（Ｓ１０８）。
【００７１】
なおＳ１０６‐Ｓ１１２の処理は、各読取フィールドについて、一度に、または順次実行される。これらはステップごとに対象となる、すべての読取フィールドについて処理を行ってもよいし、または、各フィールドについて連続してＳ１０６−Ｓ１１２の処理を行い、対象となるすべての読取フィールドの数だけループするようにしてもよい。
【００７２】
また、後述する読取フィールドの相対位置関係の比較をより精度よく行うために、あらかじめフィールド位置記憶部１１６に、通常の読取フィールドに加えて、文字認識を行わないダミー読取フィールドの位置情報を記憶させておき、Ｓ１０３にて、フィールド位置設定部１１０は、当該ダミー読取フィールドの位置を設定してもよい。特に、帳票に形成された記載欄が２つ以下で読取フィールドの位置設定の妥当性が検証できない場合は、ダミー読取フィールドを設定することで、読取フィールドの位置設定の妥当性を検証することができるようになる。例えば、読取フィールドが２つで、設定された位置の相対位置関係と記憶された相対位置関係とが一致しない場合、どちらの読取フィールドの位置設定に異常があるのか、判断することができない。係る場合に、ダミー読取フィールドが設定されていれば、当該ダミー読取フィールドと２つの読取フィールドとで、設定された相対位置関係と記憶された相対位置関係を比較し、どちらの読取フィールドの位置設定が妥当ではないのか、判断することができる。
【００７３】
また、帳票に形成された記載欄の数が少ない場合は、すべての読取フィールド同士で相対位置関係が一致しない可能性がある。係る場合にフィールド位置比較部１１２は、読取フィールドの位置設定の妥当性を検証できず、すべての読取フィールドにて相対位置関係が一致しない旨を文字認識部１１４に伝達するため、フィールド位置設定部１１０にてダミー読取フィールドを設定することが望ましい。
【００７４】
なお、本実施形態では、読取フィールドについて適正読取フィールドとの記憶された相対位置関係と設定された相対位置関係が一致しない場合（Ｓ１０６／Ｎｏ）、当該読取フィールドの位置設定は妥当ではないとして、文字認識部１１４はリジェクト文字を表示部１０８に出力する（Ｓ１０８）としたが、本発明は係る例に限定されない。当該読取フィールドについても文字認識部１１４は、文字認識を行った（Ｓ１１０）上で、文字認識結果を採用せず、リジェクト文字を表示部１０８に出力（Ｓ１０８）してもよい。文字認識部１１４がすべての読取フィールドについて一斉に文字認識を行う場合には、位置設定が妥当ではない読取フィールドについても文字認識を行った方が動作を単純化することができる。一方、文字認識部１１４が読取フィールドの各々について文字認識を行う場合は、位置設定が妥当ではない読取フィールドについては文字認識を行わないようにした方が文字認識にかかる時間の短縮が可能である。
【００７５】
続いて、第１の実施形態に係る帳票処理装置１ａの帳票画像への読取フィールド位置の設定手順について、図７Ａ〜図７Ｃを参照して詳細に説明する。図７Ａは、記載欄３２０に対する読取フィールドＡ（３３４）の位置設定における上辺検出までの手順の具体例を示した説明図であり、図７Ｂは、読取フィールドＡ（３３４）の位置設定におけるＹ座標決定までの手順の具体例を示した説明図であり、図７Ｃは、読取フィールドＡ（３３４）の位置設定における完了までの手順の具体例を示した説明図である。
【００７６】
図７Ａに示すように、まずフィールド位置設定部１１０は、帳票上端の辺を検出する。具体的には、フィールド位置設定部１１０は、上側から走査しエッジ検出によって帳票上端の辺を検出し、当該帳票上端の辺と重なるように検出線３２６を設定する。
【００７７】
次に、図７Ｂに示すように、フィールド位置設定部１１０は、交点Ｐ１を設定する。具体的には、フィールド位置設定部１１０は、検出線３２６に平行で読取フィールドＡ（３３４）のＹ座標だけ検出線３２６より下側に離れた平行線３２８を設定し、平行線３２８とエッジ検出により検出した帳票左端の辺との交点を交点Ｐ１とする。
【００７８】
さらに、図７Ｃに示すように、フィールド位置設定部１１０は、基準点Ｐ２を設定し、当該Ｐ２を基準点として読取フィールドＡ（３３４）を設定する。具体的には、フィールド位置設定部１１０は、交点Ｐ１より読取フィールドＡ（３３４）のＸ座標だけ右側に離れた平行線３２８上に、基準点Ｐ２を設定する。基準点Ｐ２が読取フィールドＡ（３３４）の左上角の点であるので、フィールド位置設定部１１０は、フィールド位置記憶部１１６に記憶された読取フィールドＡ（３３４）のフィールド大きさに関する情報を用いて読取フィールドＡ（３３４）の位置を設定することができる。
【００７９】
同様に、フィールド位置設定部１１０は、記載欄３２２および３２４についても対応する読取フィールドＢおよびＣの位置を設定することができる。読取フィールドＢおよびＣの位置の設定手順については、実質的に読取フィールドＡ（３３４）の位置の設定手順と同等であるので、ここでの説明は省略する。
【００８０】
ここで、本実施形態では、最初にフィールド位置設定部１１０が帳票上端の辺の検出を行ったが、本発明は係る例に限定されない。フィールド位置設定部１１０は最初に帳票左端の辺を検出するようにしてもよい。
【００８１】
次に、第１の実施形態に係る帳票処理装置１ａの読取フィールドの相対位置関係の比較手順について図８Ａ〜図８Ｃを参照して詳細に説明する。図８Ａは、フィールド位置記憶部１１６に記憶された読取フィールドの位置の具体例を示した説明図であり、図８Ｂは、フィールド位置設定部１１０によって設定された読取フィールドの位置の具体例を示した説明図であり、図８Ｃは、フィールド位置比較部１１２によって、記憶された読取フィールドの位置と、設定された読取フィールドの位置とを比較した具体例を示した説明図である。
【００８２】
図８Ａに示すように、フィールド位置記憶部１１６に記憶された読取フィールドとして記憶読取フィールドＡ（３４０ａ）、記憶読取フィールドＢ（３４２ａ）および記憶読取フィールドＣ（３４４ａ）が登録されている。また、それぞれの記憶読取フィールドの位置を定義する基準点がそれぞれの記憶読取フィールドの左上頂点に設定されており、記憶読取フィールドＡ（３４０ａ）の基準点はＰ５であり、記憶読取フィールドＢ（３４２ａ）の基準点はＰ６であり、記憶読取フィールドＣ（３４４ａ）の基準点はＰ７である。
【００８３】
一方、図８Ｂに示すように、フィールド位置設定部１１０により読取フィールドとして設定読取フィールドＡ（３４０ｂ）、設定読取フィールドＢ（３４２ｂ）および設定読取フィールドＣ（３４４ｂ）が設定されている。ここで、帳票画像は帳票の一部が欠けて取得されたため、設定読取フィールドＣ（３４４ｂ）は記憶読取フィールドＣ（３４４ａ）と比較して、位置がずれて設定されている。また、それぞれの設定読取フィールドの位置を定める基準点は、設定読取フィールドＡ（３４０ｂ）では基準点Ｐ５’であり、設定読取フィールドＢ（３４２ｂ）では基準点Ｐ６’であり、設定読取フィールドＣ（３４４ｂ）では基準点Ｐ７’である。
【００８４】
さらに、フィールド位置比較部１１２は、記憶読取フィールドの相対位置関係と設定読取フィールドの相対位置関係とを比較する。具体的には、まず、フィールド位置比較部１１２は、基準点Ｐ５、Ｐ６およびＰ７について、帳票の左上角を原点とするＸ座標同士の差およびＹ座標同士の差を取ることにより、それぞれの記憶読取フィールドの相対位置関係を算出する。次に、フィールド位置比較部１１２は、基準点Ｐ５’、Ｐ６’およびＰ７’について、背景も含めた帳票画像の左上角を原点とするＸ座標およびＹ座標を検出し、当該Ｘ座標同士の差およびＹ座標同士の差を取ることにより、それぞれの設定読取フィールドの相対位置関係を算出する。
【００８５】
また、フィールド位置比較部１１２は、記憶読取フィールドの相対位置関係を表す基準点Ｐ５、Ｐ６およびＰ７のＸ座標の差およびＹ座標の差と、設定読取フィールドの相対位置関係を表すＰ５’、Ｐ６’、およびＰ７’のＸ座標の差およびＹ座標の差とを比較する。ここで、フィールド位置比較部１１２は、両差分のずれ量が所定の閾値を越えていなければ、相対位置関係が一致していると判断し、ずれ量が所定の閾値を越えていれば、相対位置関係が一致していないと判断する。
【００８６】
図８Ｃを参照して、具体的に説明すると、図８Ｃに示すように、記憶読取フィールドＡ（３４０ａ）の基準点Ｐ５と記憶読取フィールドＢ（３４２ａ）の基準点Ｐ６の相対位置関係と、設定読取フィールドＡ（３４０ｂ）の基準点Ｐ５’と設定読取フィールドＢ（３４２ｂ）の基準点Ｐ６’の相対関係とは重なり合っている。そこで、フィールド位置比較部１１２は、設定読取フィールドＡ（３４０ｂ）と設定読取フィールドＢ（３４２ｂ）は、相対位置関係が一致していると判断する。
一方、記憶読取フィールドＣ（３４４ａ）の基準点Ｐ７と記憶読取フィールドＢ（３４２ａ）の基準点Ｐ６の相対関係と、設定読取フィールドＣ（３４４ｂ）の基準点Ｐ７’と設定読取フィールドＢ（３４２ｂ）の基準点Ｐ６’の相対関係とは、重なり合っておらず、ずれが見られる。そこで、フィールド位置比較部１１２は、記憶読取フィールドＢ（３４２ａ）と設定読取フィールドＣ（３４４ｂ）は、相対位置関係が一致していないと判断する。
【００８７】
上記のフィールド位置比較部１１２による判断を、記憶読取フィールドＡ（３４０ａ）の基準点Ｐ５と記憶読取フィールドＣ（３４４ａ）の基準点Ｐ７の相対関係と、設定読取フィールドＡ（３４０ｂ）の基準点Ｐ５’と設定読取フィールドＣ（３４４ｂ）の基準点Ｐ７’の相対関係とについても行う。ここで、設定読取フィールドＡ（３４０ｂ）およびＢ（３４２ｂ）は、相対位置関係が一致する読取フィールドが１つあるのに対して、設定読取フィールドＣ（３４４ｂ）は相対位置関係が一致する読取フィールドがないので、設定読取フィールドＡ（３４０ｂ）およびＢ（３４２ｂ）を適正読取フィールドとする。
【００８８】
フィールド位置比較部１１２は、適正読取フィールドである設定読取フィールドＡ（３４０ｂ）および設定読取フィールドＢ（３４２ｂ）を、位置設定が妥当な読取フィールドとし、当該適正読取フィールドと相対位置関係が一致しない設定読取フィールドＣ（３４４ｂ）を位置設定が妥当ではない読取フィールドとして、文字認識部１１４に伝達する。
【００８９】
ここで、フィールド位置比較部１１２が相対位置関係を判断する閾値は、読取フィールドの許容値に基づいた値であってもよい。例えば、すべての読取フィールドの許容値の平均値を相対位置関係判断の閾値としてもよいし、読取フィールドの許容値の中で最も頻繁に使用されている値を相対位置関係判断の閾値としてもよい。
【００９０】
さらに、フィールド位置比較部１１２が相対位置関係を判断する閾値は、相対位置関係を判断する読取フィールドのうち、少なくとも一方の読取フィールドの許容値に基づいた値であってもよい。例えば、フィールド位置比較部１１２は、相対位置関係を判断する読取フィールドのうち、どちらかの読取フィールドの許容値を相対位置関係の判断の閾値として用いてもよいし、両読取フィールドの許容値の平均を相対位置関係の判断の閾値として用いてもよい。
【００９１】
フィールド位置比較部１１２が、フィールド位置記憶部１１６に記憶された読取フィールドの位置と、フィールド位置設定部１１０に設定された読取フィールドの位置を比較する場合に相対位置関係を用いるのは、両者の位置情報に含まれる座標を表現する座標系が異なるためである。フィールド位置記憶部１１６に記憶された位置情報は、帳票の左上角を原点として表されるが、フィールド位置設定部１１０に設定された位置情報は、帳票画像の左上角を原点として表される。したがって、両者は直接比較ができず、フィールド位置比較部１１２は相対位置関係を用いて両者を比較している。
【００９２】
以上、図３〜図８Ｃを参照して、本発明の第１の実施形態について、具体的に説明した。上記説明したように、第１の実施形態によれば、帳票画像上の読取フィールドの位置が局所的に大きくずれた場合においても、帳票処理装置１ａは、当該読取フィールドの位置の妥当性を検証することができる。また、妥当性に問題があると判断された読取フィールドについて、帳票処理装置１ａはリジェクト文字を出力することによりオペレータにその旨を通知するため、オペレータは文字の誤不読や欠落を容易には判別することができるようになった。
【００９３】
＜４．第２の実施形態＞
続いて、図９〜図１１を参照して、本発明の第２の実施形態について具体的に説明する。第１の実施形態と同一の構成については、実質的に第１の実施形態において説明したとおりであるので同一の符号を付して、ここでの詳細な説明は省略する。
【００９４】
図９は、第２の実施形態に係る読取装置２および帳票処理装置１ｂの内部構成を示したブロック図である。図９に示すように、第２の実施形態に係る読取装置２は、スキャナ部２００と、読取制御部２０２と、通信部２０４と、を備え、第２の実施形態に係る帳票処理装置１ｂは、通信部１００と、制御部１０２ｂと、画像メモリ部１０４と、入力部１０６と、表示部１０８と、フィールド位置設定部１１０と、フィールド位置比較部１１２と、フィールド位置補正部１２０と、文字認識部１１４と、フィールド位置記憶部１１６と、を備える。
【００９５】
ここで、読取装置２、通信部１００、制御部１０２ｂ、画像メモリ部１０４、入力部１０６、表示部１０８、フィールド位置設定部１１０、フィールド位置記憶部１１６については、第１の実施形態の構成と同一又は実質的に同一であるので、ここでの詳細な説明を省略する。以下では、第２の実施形態で特記すべき差異を有するフィールド位置比較部１１２、文字認識部１１４およびフィールド位置補正部１２０について具体的に説明する。ただし、第１の実施形態と実質的に同一である事項については特に言及を行わない。
【００９６】
フィールド位置比較部１１２は、第１の実施形態と同様に、フィールド位置設定部１１０が設定した帳票画像上の読取フィールドの相対位置関係と、フィールド位置記憶部１１６が記憶する読取フィールドの相対位置関係とをそれぞれ比較し、上記の比較により決定された適正読取フィールドとの記憶された相対位置関係と設定された相対位置関係が一致しない読取フィールドについて、フィールド位置補正部１２０に、当該読取フィールドの位置設定が妥当ではない旨を伝達する。上記比較の手順については、第１の実施形態と同一であるので、ここでの詳細な説明は省略する。
【００９７】
文字認識部１１４は、各読取フィールドにおいて、文字認識を行う。具体的には、文字認識部１１４は、フィールド位置設定部１１０が設定した読取フィールド、またはフィールド位置補正部１２０によって補正された読取フィールドにおいて、帳票上の文字を認識して、文字データとして取得し、表示部１０８に出力する。
【００９８】
フィールド位置補正部１２０は、フィールド位置設定部１１０が設定した読取フィールドの位置を補正する。ここで、読取フィールドの位置の補正については、図１１を参照して具体的に説明する。図１１は、図８Ｃに示した帳票画像にフィールド位置補正部１２０が補正を行った具体例を示した説明図である。
【００９９】
図１１に示すように、フィールド位置比較部１１２により、設定読取フィールドＣ（３４４ｂ）は位置設定が妥当ではないと判断されている。係る場合に、フィールド位置補正部１２０は、位置設定が妥当ではないと判断された設定読取フィールドＣ（３４４ｂ）に最も近く、かつ位置設定が妥当と判断された設定読取フィールドＢ（３４２ｂ）を基準として設定読取フィールドＣ（３４４ｂ）の位置を補正する。具体的には、フィールド位置補正部１２０は、設定読取フィールドＢ（３４２ｂ）の基準点Ｐ６から、記憶読取フィールドＢ（３４２ａ）の基準点Ｐ６および記憶読取フィールドＣ（３４４ａ）の基準点Ｐ７の相対位置関係だけ離れた補正後基準点Ｐ７’’を設定する。さらに、当該Ｐ７を新しい基準点として、フィールド位置補正部１２０は設定読取フィールドＣ（３４４ｂ）の位置を補正後読取フィールドＣ（３４４ｃ）に補正する。
【０１００】
ここで、上記実施形態では、フィールド位置補正部１２０によって位置設定が妥当ではないと判断された読取フィールドの補正を当該読取フィールドに最も近く、かつ位置設定が妥当であると判断された読取フィールドを基準として行ったが、本発明は係る例に限定されない。例えば、フィールド位置補正部１２０は、ある読取フィールドについて、当該読取フィールドと相対位置関係が一致する読取フィールドの数、および当該読取フィールドと補正を行う読取フィールドとの距離を用いて点数付けをし、点数が最も高い適正読取フィールドとの相対位置関係が一致している読取フィールドを基準として、補正を行ってもよい。
【０１０１】
また、すべての読取フィールドにおいて相対位置関係が一致しなかった場合、フィールド位置補正部１２０は補正を行うことができない。係る場合、フィールド位置補正部１２０は補正が行えない旨を表示部１０８に表示させるように出力を行ってもよい。
【０１０２】
以上、図９および図１１を参照して、第２の実施形態に係る読取装置２および帳票処理装置１ｂの構成について、具体的に説明した。引き続き、第２の実施形態に係る帳票処理装置１ｂの動作について図１０を参照して具体的に説明する。図１０は、第２の実施形態に係る帳票処理装置１ｂの動作を示したフローチャートである。ここで、Ｓ１００〜Ｓ１０６は第１の実施形態の動作と同一又は実質的に同一であるので、ここでの詳細な説明を省略する。以下では、第２の実施形態で特記すべきＳ１０６以下の動作について具体的に説明を行う。
【０１０３】
図１０に示すように、各読取フィールドについて、適正読取フィールドとの記憶された相対位置関係と設定された相対位置関係が一致しないとフィールド位置比較部１１２に判断された場合（Ｓ１０６／Ｎｏ）、当該読取フィールドの位置は妥当ではないとして、フィールド位置補正部１２０は、当該読取フィールドについて位置の補正を行う（Ｓ１２０）。当該補正後の読取フィールドについて、文字認識部１１４は文字認識を行い（Ｓ１１１）、文字認識した文字を表示部１０８に出力する（Ｓ１１３）。また、適正読取フィールドとの記憶された相対位置関係と設定された相対位置関係が一致しているとフィールド位置比較部１１２に判断された場合（Ｓ１０６／Ｙｅｓ）、当該読取フィールドの位置設定は妥当であるとして、文字認識部１１４は文字認識を行い（Ｓ１１１）、文字認識した文字を表示部１０８に出力する（Ｓ１１３）。
【０１０４】
なおＳ１０６‐Ｓ１２０の処理は、各読取フィールドについて、一度に、または順次実行される。これらはステップごとに対象となる、すべての読取フィールドについて処理を行ってもよいし、または、各フィールドについて連続してＳ１０６−Ｓ１２０の処理を行い、対象となるすべての読取フィールドの数だけループするようにしてもよい。
【０１０５】
以上にて図９〜図１１を参照して、本発明の第２の実施形態について、具体的に説明した。上記で説明したように、第２の実施形態によれば、帳票画像上の帳票画像上の読取フィールドの位置が局所的に大きくずれた場合においても、第２の実施形態にかかる帳票処理装置１ｂは、当該読取フィールドの位置の妥当性を検証ができる。また、妥当性に問題があると判断された読取フィールドは位置を補正して読取を行うことができるため、第２の実施形態にかかる帳票処理装置１ｂは、文字の誤不読や欠落を防止することができる。
【０１０６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１０７】
また、本発明に係る読取装置２および帳票処理装置１に内蔵されるような市販のハードウェアに上述した読取装置２および帳票処理装置１の各構成と同等の機能を発揮させるためのコンピュータプログラムも作成可能である。当該コンピュータプログラムを記憶させた記憶媒体も本発明の技術的範囲に属し、提供される。
【０１０８】
なお、本発明は、実施形態において帳票の文字認識について説明を行ったが、本発明は係る例のみに限定されないことは言うまでもない。本発明に係る文字認識対象は帳票以外にも事前に記載欄が定められた多様な書類に対して適用可能である。
【符号の説明】
【０１０９】
１、１ａ、１ｂ    帳票処理装置
１００    通信部
１０２    制御部
１０４    画像メモリ部
１０６    入力部
１０８    表示部
１１０    フィールド位置設定部
１１２    フィールド位置比較部
１１４    文字認識部
１１６    フィールド位置記憶部
１１８    フィールド位置データテーブル
１２０    フィールド位置補正部
２    読取装置
２００    スキャナ部
２０２    読取制御部
２０４    通信部
３００ａ、３００ｂ、３００ｃ、３００ｄ    帳票画像
３０１    背景
３０２    帳票
【図１】
2014044652.tif 000003
【図２Ａ】
2014044652.tif 000004
【図２Ｂ】
2014044652.tif 000005
【図２Ｃ】
2014044652.tif 000006
【図２Ｄ】
2014044652.tif 000007
【図３】
2014044652.tif 000008
【図４】
2014044652.tif 000009
【図５】
2014044652.tif 000010
【図６】
2014044652.tif 000011
【図７Ａ】
2014044652.tif 000012
【図７Ｂ】
2014044652.tif 000013
【図７Ｃ】
2014044652.tif 000014
【図８Ａ】
2014044652.tif 000015
【図８Ｂ】
2014044652.tif 000016
【図８Ｃ】
2014044652.tif 000017
【図９】
2014044652.tif 000018
【図１０】
2014044652.tif 000019
【図１１】
2014044652.tif 000020